(57)【要約】【課題】２つの表示部を連結及び結線する際に、連結用の部材としてより小さな部材を利用可能とすること。【解決手段】連結部材３０は、第１表示部１０の背面１５及び第２表示部２０の背面２５に固定されたシート状の部材であり、第１表示部１０及び第２表示部２０を折り畳み可能に連結する。カバー部材４０は、シート状の部材であり、第１表示部１０及び第２表示部２０が連結部材３０を介して固定される。繋ぎ部４３は、第１固定部４１及び第２固定部４２の間に位置して両固定部を繋げる部分である。繋ぎ部４３は、可撓性を有し、スマートフォン１が開いていると撓んだ状態になる。結線部材５０は、第１表示部１０の第１回路１３と、第２表示部２０の第２回路２３とを結線する部材である。結線部材５０は、カバー部材４０の内部を通して設けられている。【選択図】図１
2020118750.tif 000002
【特許請求の範囲】
【請求項１】
表示面及び第１回路を有する板状の第１表示部と、
表示面及び第２回路を有する板状の第２表示部と、
前記第１表示部及び前記第２表示部を折り畳み可能に連結する連結部材と、
前記第１回路及び前記第２回路を前記連結部材の内部を通さずに結線する結線部材と
を備える表示装置。
【請求項２】
前記第１表示部及び前記第２表示部が固定されるシート状のカバー部材であって、両表示部が固定された部分の間に可撓性を有する可撓部を有するカバー部材を備え、
前記結線部材は、前記カバー部材の内部を通して設けられる
請求項１に記載の表示装置。
【請求項３】
前記結線部材は、前記第１表示部及び前記第２表示部が閉じると伸びた状態になり、前記第１表示部及び前記第２表示部が開くと縮んで撓みのない状態になる
請求項１に記載の表示装置。
【請求項４】
前記結線部材は、前記第１表示部及び前記第２表示部が開いたときに互いに対向する側面に設けられた２つの開口を通して配置される
請求項３に記載の表示装置。
【請求項５】
前記連結部材は、前記第１表示部の背面及び前記第２表示部の背面に固定されたシート状の部材である
請求項１から４のいずれか１項に記載の表示装置。
【請求項６】
前記シート状の部材は、前記第１表示部及び前記第２表示部が開いたときに互いに対向する側面にも固定されている
請求項５に記載の表示装置。
【請求項７】
前記連結部材は、ヒンジである
請求項１から４のいずれか１項に記載の表示装置。
【発明の詳細な説明】
【技術分野】
【０００１】
本発明は、２つの表示部が連結された表示装置に関する。
【背景技術】
【０００２】
２つの表示部が連結された表示装置が知られている。特許文献１には、それぞれが表示画面を有する２つの部材が、回動スイッチが設置されたヒンジ部により連結された見開き型の電子表示装置が開示されている。
【先行技術文献】
【特許文献】
【０００３】
【特許文献１】特開２００３−１９６０１２号公報
【発明の概要】
【発明が解決しようとする課題】
【０００４】
２つの表示部を折り畳み可能に連結した場合、さらにそれら２つの表示部を連動させることができると便利である。その場合に、例えば両表示部をヒンジで連結してその内部に配線を通すというように、連結用の部材の内部に配線をすると、その部材（例えばヒンジ）が大きくなり目立ってしまう。
そこで、本発明は、２つの表示部を連結及び結線する際に、連結用の部材としてより小さな部材を利用可能とすることを目的とする。
【課題を解決するための手段】
【０００５】
上記目的を達成するために、本発明は、表示面及び第１回路を有する板状の第１表示部と、表示面及び第２回路を有する板状の第２表示部と、前記第１表示部及び前記第２表示部を折り畳み可能に連結する連結部材と、前記第１回路及び前記第２回路を前記連結部材の内部を通さずに結線する結線部材とを備える表示装置を提供する。
【０００６】
また、前記第１表示部及び前記第２表示部が固定されるシート状のカバー部材であって、両表示部が固定された部分の間に可撓性を有する可撓部を有するカバー部材を備え、前記結線部材は、前記カバー部材の内部を通して設けられてもよい。
【０００７】
また、前記結線部材は、前記第１表示部及び前記第２表示部が閉じると伸びた状態になり、前記第１表示部及び前記第２表示部が開くと縮んで撓みのない状態になってもよい。
【０００８】
また、前記結線部材は、前記第１表示部及び前記第２表示部が開いたときに互いに対向する側面に設けられた２つの開口を通して配置されていてもよい。
【０００９】
また、前記連結部材は、前記第１表示部の背面及び前記第２表示部の背面に固定されたシート状の部材であってもよい。
【００１０】
また、前記シート状の部材は、前記第１表示部及び前記第２表示部が開いたときに互いに対向する側面にも固定されていてもよい。
【００１１】
また、前記連結部材は、ヒンジであってもよい。
【発明の効果】
【００１２】
本発明によれば、２つの表示部を連結及び結線する際に、連結用の部材としてより小さな部材を利用可能とすることができる。
【図面の簡単な説明】
【００１３】
【図１】第１実施例に係るスマートフォンの外観を表す図
【図２】第１実施例に係るスマートフォンの外観を表す図
【図３】スマートフォンのハードウェア構成を表す図
【図４】接近した第１表示部及び第２表示部を表す図
【図５】切替制御における動作手順の一例を表す図
【図６】第２実施例に係るスマートフォンの外観を表す図
【図７】第３実施例に係るスマートフォンの外観を表す図
【図８】第４実施例に係るスマートフォンの外観を表す図
【発明を実施するための形態】
【００１４】
［１］第１実施例
図１及び図２は第１実施例に係るスマートフォン１の外観を表す。スマートフォン１は、折り畳み可能な２画面の端末であり、本発明の「表示装置」の一例である。図１では開かれた状態のスマートフォン１が表され、図２では閉じた状態のスマートフォン１が表されている。
【００１５】
図１（ａ）では正面から見たスマートフォン１が表され、図１（ｂ）及び図２では下側から見たスマートフォン１が表されている。スマートフォン１においては、通常使用される際に鉛直上方にくる方（例えば電話用のスピーカが付いている方）が上側、鉛直下方にくる方（例えば電話用のマイクが付いている方）が下側であるものとする。開いた状態のスマートフォン１を正面から見ると、図１（ａ）に表すように横長の長方形の形をしている。
【００１６】
図１及び図２では、スマートフォン１の長辺に沿った方向をＸ軸方向、短辺に沿った方向をＹ軸方向、Ｘ軸方向及びＹ軸方向に直交する方向をＺ軸方向として示している。Ｘ軸方向は正面から見て右向きが正方向、Ｙ軸方向は正面から見て下向きが正方向、Ｚ軸方向は正面から裏側に向かう方向を正方向とする（図１（ａ）、（ｂ）、図２はそれぞれＺ軸正方向、Ｙ軸負方向、Ｙ軸負方向に見ている）。
【００１７】
スマートフォン１は、第１表示部１０と、第２表示部２０と、連結部材３０と、カバー部材４０と、結線部材５０とを備える。第１表示部１０は、第１表示面１１と、第１筐体１２と、第１回路１３と、第１磁力部材１４とを有する板状の表示手段である。第１表示面１１は、画像が表示される面である。第１表示面１１は、長方形且つ平らな面であり、本実施例では、タッチパネルの入力画面を兼ねている。第１筐体１２は、板状且つ中空の筐体であり、一部に開口部（外部空間と繋がる孔が空いた部分）を有する。
【００１８】
第１筐体１２は、その開口部に第１表示面１１が設けられ、内部に第１回路１３及び第１磁力部材１４が格納されている。第１回路１３は、第１表示部１０を表示手段として機能させるための電子回路である。第１回路１３は、例えば、第１表示面１１に画像を表示する表示回路（液晶回路又は有機ＥＬ（Electro-Luminescence）回路等）の他、制御回路、記憶回路及び電源回路等を含む。第１磁力部材１４は、磁力を発生させる部材であり、本実施例では永久磁石である。
【００１９】
第２表示部２０は、第２表示面２１と、第２筐体２２と、第２回路２３と、第２磁力部材２４とを有する板状の表示手段である。第２表示面２１、第２筐体２２、第２回路２３及び第２磁力部材２４は、第１表示面１１、第１筐体１２、第１回路１３及び第１磁力部材１４と共通する構成である。但し、第２磁力部材２４は、第１磁力部材１４とは反対の極性の磁力を発生させ、第１磁力部材１４と引き合うようになっている。
【００２０】
連結部材３０は、第１表示部１０の背面１５及び第２表示部２０の背面２５に固定されたシート状の部材であり、第１表示部１０及び第２表示部２０を折り畳み可能に連結する。連結部材３０は、第１固定部３１と、第２固定部３２と、繋ぎ部３３とを有する。第１固定部３１は、第１表示部１０の背面１５に固定される部分であり、第２固定部３２は、第２表示部２０の背面２５に固定される部分である。
【００２１】
繋ぎ部３３は、第１固定部３１及び第２固定部３２の間に位置して両固定部を繋げる部分である。繋ぎ部３３は、第１表示部１０及び第２表示部２０が折り畳まれると、図２に表すように第１表示部１０の側面１６及び第２表示部２０の側面２６に密着する。このように、本実施例では、例えば図１（ａ）に表す繋ぎ部３３のＸ軸方向の長さと、側面１６及び側面２６の厚さ方向（各表示部の厚さ方向。図１、図２におけるＺ軸方向）の長さの合計とが一致するようになっている。
【００２２】
連結部材３０は、繊維強化プラスチック等の繊維強化素材を用いて形成されている。繊維強化素材は一般的に可撓性を有するため、連結部材３０は、第１固定部３１及び繋ぎ部３３の境目と、第２固定部３２及び繋ぎ部３３の境目とを図２に表すように折り曲げることができる。また、連結部材３０は、それらの境目の繰り返しの折り曲げに耐えうる耐久性も備えている。
【００２３】
カバー部材４０は、シート状の部材であり、第１表示部１０及び第２表示部２０が連結部材３０を介して固定される。連結部材３０を介するとは、第１表示部１０及び第２表示部２０が固定された連結部材３０が固定されることで、第１表示部１０及び第２表示部２０が間接的に固定されるということである。カバー部材４０は、第１固定部４１と、第２固定部４２と、繋ぎ部４３とを有する。
【００２４】
第１固定部４１は、第１表示部１０が連結部材３０を介して間接的に固定される部分である。第２固定部４２は、第２表示部２０が連結部材３０を介して間接的に固定される部分である。第１固定部４１及び第２固定部４２は、連結部材３０の第１固定部３１及び第２固定部３２に比べて厚く且つ高い衝撃吸収性を有している。この厚さ及び衝撃吸収性により、第１固定部４１及び第２固定部４２は、第１表示部１０及び第２表示部２０に加わる衝撃を緩和する役割を果たす。
【００２５】
つまり、カバー部材４０は、文字通り表示部をカバーする（保護する）ことを主な目的とした部材である。これに対し、連結部材３０は、両表示部を連結することを主な目的とした部材であるため、カバー部材４０に比べて薄く、軽量に作られている。なお、ここでいう目的はあくまで主目的であるため、連結部材３０も衝撃を緩和する役割を果たすし、カバー部材４０も両表示部を連結する役割を果たしている。
【００２６】
繋ぎ部４３は、可撓性を有し、第１固定部４１及び第２固定部４２の間に位置して両固定部を繋げる部分である。繋ぎ部４３は本発明の「可撓部」の一例である。カバー部材４０のうち第１固定部４１及び繋ぎ部４３の境目を境界Ａ１とし、第２固定部４２及び繋ぎ部４３の境目を境界Ａ２とする。その境界Ａ１から境界Ａ２までの繋ぎ部４３の長さは、連結部材３０の境界Ａ１が接する位置から境界Ａ２が接する位置までの長さ（繋ぎ部４３に対応する部分の長さ）よりも長い。
【００２７】
そのため、繋ぎ部４３は、スマートフォン１が開いている状態でも閉じた状態でも、図１（ｂ）及び図２に表すように、連結部材３０の繋ぎ部３３と密着せずに隙間をあけて撓んだ状態になる。また、第１固定部４１及び第２固定部４２には、第１表示部１０の背面１５及び第２表示部２０の背面２５の全面が固定されている訳ではなく、繋ぎ部４３側の一部は固定されていない。
【００２８】
つまり、境界Ａ１及び境界Ａ２は、いずれも表示部の端よりも表示部の内側にずれた位置となっている。仮にカバー部材に両表示部の全面が固定された場合、本実施例に比べて繋ぎ部が少なくなり、繋ぎ部の撓みの描く弧が小さくなる。その場合に比べると、スマートフォン１においては、繋ぎ部４３の撓みの描く弧が大きく、つまり撓みがなだらかになっている。
【００２９】
第１固定部４１、第２固定部４２及び繋ぎ部４３の内部には、細長い孔４４が形成されており、図１（ｂ）に表すように、その孔に結線部材５０が設けられている。結線部材５０は、第１表示部１０の第１回路１３と、第２表示部２０の第２回路２３とを結線する（配線で電気的に接続する）部材である。結線部材５０は、例えば銅線を主体としたフレキシブル配線（フレキシブルプリント基板により作られた配線）である。
【００３０】
結線部材５０は、カバー部材４０（第１固定部４１、第２固定部４２及び繋ぎ部４３）の内部を通して設けられている。第１表示部１０及び第２表示部２０は、第１固定部３１及び第２固定部３２に設けられた孔４４に対応する位置に開口１７及び開口２７をそれぞれ有している。結線部材５０は、それらの孔４４、開口１７及び開口２７を通って各回路（第１回路１３及び第２回路２３）と電気的に接続されることで、両回路を結線する。
【００３１】
以上のとおり、スマートフォン１においては、カバー部材４０に、第１表示部１０及び第２表示部２０を衝撃から保護する役割と、両表示部が有する回路を結線する役割とを兼ねさせることができる。また、スマートフォン１を閉じた場合に撓みがなくなると、図２に表す連結部材３０のように表示部の角の部分で直角に折れ曲がる状態になる。
【００３２】
カバー部材４０は、スマートフォン１を閉じた場合でも図２に表すように撓んでいるので、撓みがなくなる場合に比べて、表示部の角の部分における折れ曲がりが緩やかになり、内部の結線部材５０が破損しにくいようにすることができる。また、スマートフォン１の持ち方及び扱い方（例えば一方の表示部だけを持った場合）によっては、連結部材３０に２つの表示部から引っ張る力が加えられる。
【００３３】
仮にこのシート状の連結部材に結線部材を内蔵したとすると、結線部材にもその力が加わり、破損の原因となり得る。本実施例では、上記のとおり連結部材３０の繋ぎ部４３に対応する部分の長さよりも繋ぎ部４３の長さが長いため、この引っ張る力がカバー部材４０に加わることがなく、この力による結線部材の破損を防止することができる。
【００３４】
また、スマートフォン１においては、上述したように第１表示部１０の背面１５及び第２表示部２０の背面２５の全面が固定されている場合に比べて、繋ぎ部４３の撓みがなだらかになっている。そのため、本実施例では、全面固定の場合に比べて、繋ぎ部４３に内蔵された結線部材が、繋ぎ部４３の撓みにより破損するということが生じにくいようにすることができる。
【００３５】
結線部材５０が結線する回路（ハードウェア）について図３を参照して説明する。
図３はスマートフォン１のハードウェア構成を表す。スマートフォン１は、プロセッサ２と、メモリ３と、ストレージ４と、通信装置５と、入力装置６と、出力装置７と、バス８という各回路を備えるコンピュータである。これらの回路は、第１表示部１０の第１回路１３及び第２表示部２０の第２回路２３に含まれる。
【００３６】
なお、ここでいう「回路」という文言は、装置、デバイス及びユニット等に読み替えることができる。また、各回路は、１つ又は複数含まれていてもよいし、一部の回路が含まれていなくてもよい。また、画像を表示するために最小限必要な回路（例えば液晶回路又は有機ＥＬ回路等の表示回路）は、第１表示部１０及び第２表示部２０の両方に設けられているものとする。
【００３７】
また、両表示部の一方だけに設けられていればよいものは、一方だけに設けられていてもよいし、両方に設けられていてもよい。例えば第１表示部１０だけにプロセッサ２が設けられている場合、そのプロセッサ２は、結線部材５０を介して第２表示部２０の第２回路２３を制御すればよい。プロセッサ２は、例えば、オペレーティングシステムを動作させてコンピュータ全体を制御する。
【００３８】
プロセッサ２は、周辺装置とのインターフェース、制御回路、演算回路、レジスタなどを含む中央処理回路（ＣＰＵ：Central Processing Unit）で構成されてもよい。また、プロセッサ２は、ＯＳ（Operating System：オペレーティングシステム）及び各種のアプリケーションを含むプログラム（プログラムコード）、ソフトウェアモジュール及びデータ等を、ストレージ４及び／又は通信装置５からメモリ３に読み出し、これらに従って各種の処理を実行する。
【００３９】
各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。
【００４０】
メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。
【００４１】
ストレージ４は、補助記憶装置と呼ばれてもよい。上述の記憶媒体は、例えば、メモリ３及び／又はストレージ４を含むデータベース、サーバその他の適切な媒体であってもよい。通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００４２】
入力装置６は、外部からの入力を受け付ける入力デバイス（例えば、マイクロフォン、スイッチ、ボタン、センサなど）である。入力装置６は、第１表示部１０の側面１６及び第２表示部２０の側面２６が接近したことを検知する接近センサを有する。出力装置７は、外部への出力を実施する出力デバイス（例えば、ディスプレイ、スピーカ、ＬＥＤランプなど）である。スマートフォン１においては、入力装置６及び出力装置７は、一体となって構成されるタッチスクリーンを含んでいる。
【００４３】
このタッチスクリーンは、第１表示部１０及び第２表示部２０のそれぞれに設けられており、どちらの表示部でもユーザによる入力操作が受け付けられるようになっている。プロセッサ２及びメモリ３等の各回路は、情報を通信するためのバス８を介して互いにアクセス可能となっている。バス８は、単一のバスで構成されてもよいし、回路間で異なるバスで構成されてもよい。
【００４４】
また、スマートフォン１は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能の一部又は全てが実現されてもよい。例えば、プロセッサ２は、これらのハードウェアの少なくとも１つで実装されてもよい。
【００４５】
プロセッサ２は、第１表示部１０及び第２表示部２０における画像の表示を制御する。プロセッサ２は、例えば、第１表示面１１及び第２表示面２１を１つの表示面として捉えた全画面表示領域への画像の表示を制御する。以下ではこの制御による画像の表示を全画面表示と言う。
【００４６】
また、プロセッサ２は、第１表示面１１及び第２表示面２１を別々の表示面として捉えた２画面表示領域への画像の表示を制御する。以下ではこの制御による画像の表示を２画面表示と言う。また、プロセッサ２は、第１表示面１１及び第２表示面２１のいずれか一方にだけ画像を表示する表示制御を行う。以下ではこの制御による画像の表示を１画面表示と言う。
【００４７】
プロセッサ２は、例えば、第１表示部１０及び第２表示部２０の接近及び隔離を契機に１画面表示又は２画面表示と全画面表示とを切り替える切替制御を行う。
図４は接近した第１表示部１０及び第２表示部２０を表す。ユーザが、図１に表す状態からスマートフォン１を折り畳まずに、第１表示部１０及び第２表示部２０を少し近づけたとする。
【００４８】
すると、互いに極性が異なる第１磁力部材１４及び第２磁力部材２４が引き付け合い、図４に表すように互いの側面１６及び側面２６を接近させた（密着させた）状態になる。このとき、連結部材３０の繋ぎ部３３が両側面の間に挟まれないようにしなければならない。例えば繋ぎ部３３に図４に示す折れ曲がった状態のくせを付けておくことで、繋ぎ部３３が両側面の間に挟まれにくいようにしてもよい。
【００４９】
側面１６及び側面２６が接近すると、カバー部材４０の繋ぎ部４３も撓むことになる。上述したように、側面１６及び側面２６の厚さ方向の長さの合計と比べて、繋ぎ部４３は長く、繋ぎ部３３は長さが一致している。そのため、撓んだ繋ぎ部４３の内側には、外側に撓んだ繋ぎ部３３が収まるようになっている。側面１６及び側面２６が接近すると、第１表示面１１及び第２表示面２１がＸ軸方向に並んで全画面表示領域として利用可能になる。
【００５０】
図５は切替制御における動作手順の一例を表す。この動作手順は、ユーザが画像を表示させる操作（表示操作）を行うことを契機に開始される。まず、プロセッサ２は、表示操作に基づいて１画面表示又は２画面表示を行う（ステップＳ１１）。次に、プロセッサ２は、側面１６及び側面２６の接近を検知したか否かを判断する（ステップＳ１２）。プロセッサ２は、この接近を検知しない（ＮＯ）場合、ステップＳ１２に戻って動作を行う。
【００５１】
プロセッサ２は、この接近を検知した（ＹＥＳ）場合、１画面表示又は２画面表示から全画面表示に切り替える（ステップＳ１３）。続いて、プロセッサ２は、側面１６及び側面２６の隔離を検知したか否かを判断する（ステップＳ１４）。プロセッサ２は、この隔離を検知しない（ＮＯ）場合、ステップＳ１４に戻って動作を行う。プロセッサ２は、この隔離を検知した（ＹＥＳ）場合、全画面表示から切替前の表示（１画面表示又は２画面表示）に切り替え（ステップＳ１５）、ステップＳ１２に戻る。
【００５２】
第１表示部１０及び第２表示部２０のような２つの表示部を連結及び結線する方法としては、ヒンジを用いる方法がある。その場合、ヒンジの内部を中空にして、その内部に両表示部を結線する部材（配線等）を配置する。しかし、この方法だと、結線部材を配置するための空間が必要な分だけヒンジが大きくなる。本実施例では、結線部材５０をカバー部材４０の内部に配置し、連結部材３０には結線部材を配置しないようにすることで、ヒンジを用いて連結及び結線の両方を行う場合に比べて、連結用の部材としてより小さな部材を利用可能とすることができる。
【００５３】
［２］第２実施例
本発明の第２実施例について、以下、第１実施例と異なる点を中心に説明する。第２実施例では、第１実施例とは異なる構成で２つの表示面が並んだ状態になる。
図６は第２実施例に係るスマートフォン１ａの外観を表す。図６では下側から見たスマートフォン１ａが表され、図６（ａ）では開かれた状態が、図６（ｂ）では閉じた状態が表されている。
【００５４】
スマートフォン１ａは、第１表示部１０ａと、第２表示部２０ａと、連結部材３０ａと、カバー部材４０ａとを備える。連結部材３０ａは、第１固定部３１ａと、第２固定部３２ａと、繋ぎ部３３ａとを有する。第１固定部３１ａ及び第２固定部３２ａは、第１実施例と同様に、第１表示部１０ａの背面１５ａ及び第２表示部２０ａの背面２５ａにそれぞれ固定されている。
【００５５】
また、繋ぎ部３３ａは、第１実施例と同様に、第１固定部３１ａ及び第２固定部３２ａを繋げている。但し、繋ぎ部３３ａは、第１実施例と異なり、第１表示部１０ａ及び第２表示部２０ａが開いたときに互いに対向する側面１６ａ及び側面２６ａにも固定されている。また、繋ぎ部３３ａのうち側面１６ａに固定された部分と側面２６ａに固定された部分との間には、図６（ｂ）に表すように隙間がない。
【００５６】
繋ぎ部３３ａが上記のとおり両側面に固定されていることで、スマートフォン１ａを開いた場合に、必ず、側面１６ａ及び側面２６ａを接近させた状態、すなわち第１表示面１１ａ及び第２表示面２１ａがＸ軸方向に並んで全画面表示領域として利用可能な状態にすることができる。なお、スマートフォン１ａにおいては、繋ぎ部３３ａが両側面を接近させるので、第１実施例のような磁力部材が設けられていない。
【００５７】
［３］第３実施例
本発明の第３実施例について、以下、第１及び第２実施例と異なる点を中心に説明する。第３実施例では、第１及び第２実施例で備えられていたカバー部材を備えない例を説明する。
図７は第３実施例に係るスマートフォン１ｂの外観を表す。図７では下側から見たスマートフォン１ｂが表され、図７（ａ）では開かれた状態が、図７（ｂ）では閉じた状態が表されている。
【００５８】
スマートフォン１ｂは、第１表示面１１ｂを有する第１表示部１０ｂと、第２表示面２１ｂを有する第２表示部２０ｂと、連結部材３０ｂと、結線部材５０ｂとを備える。連結部材３０ｂは、第１表示部１０ｂの背面１５ｂの第２表示部２０ｂ側であり且つ第２表示部２０ｂの背面２５ｂの第１表示部１０ｂ側となる位置に設けられたシングルヒンジ（回転軸が１つの蝶番）である。
【００５９】
連結部材３０ｂは、第１表示部１０ｂ及び第２表示部２０ｂを、第１表示面１１ｂ及び第２表示面２１ｂを外側にして折り畳み可能に連結する。結線部材５０ｂは、配線部５１と、２つの弾性部５２と、２つの固定部５３とを有する。配線部５１は、実施例の結線部材５０と同様に、例えば銅線を主体とした配線である。第１表示部１０ｂの側面１６ｂには開口１７ｂが設けられ、第２表示部２０ｂの側面２６ｂには開口２７が設けられている。
【００６０】
配線部５１は、開口１７ｂを通って第１表示部１０ｂの内部に入り込み、開口２７ｂを通って第２表示部２０ｂの内部に入り込んでいる。配線部５１の両端側には、弾性部５２がそれぞれ接続されている。弾性部５２は、バネ又はゴム等の弾性を有する部材である。弾性部５２は、一端が配線部５１に接続され、他端が固定部５３に接続されている。
【００６１】
固定部５３は、表示部（第１表示部１０ｂ及び第２表示部２０ｂ）の内部の特定の位置に固定されている。弾性部５２は、スマートフォン１ｂが開いている状態では、配線部５１を表示部の内部に向けて引っ張る程度の弾性力を有する。また、スマートフォン１ｂが閉じている状態では、図７（ｂ）に表すように配線部５１が両表示部の外側に引っ張り出されるが、弾性部５２は、その配線部５１の動きを邪魔しないように伸びる程度の弾性力を有する。
【００６２】
配線部５１の両端側の弾性部５２に接続されている接続箇所５４は、図７に表すようにスマートフォン１ｂが開いている状態と閉じている状態とで位置が変換する。配線部５１は、この接続箇所５４よりも先にある先端部分（図示せず）が、第１表示部１０ｂが備える第１回路１３ｂ及び第２表示部２０ｂが備える第２回路２３ｂに電気的に接続されている。
【００６３】
この配線部５１の先端部分は、スマートフォン１ｂが開いた状態と閉じた状態のどちらでも回路まで届くように余裕のある長さとなっている。以上のとおり、結線部材５０ｂは、全体として、第１表示部１０ｂ及び第２表示部２０ｂが閉じると伸びた状態になり、第１表示部１０ｂ及び第２表示部２０ｂが開くと縮んで撓みのない状態になる。
【００６４】
スマートフォン１ｂが閉じたときに結線部材が伸びなければ、結線部材を引っ張る力が過度に加わり断線するおそれがある。その場合に比べて、本実施例では、上記のとおり結線部材５０ｂが伸びることで、断線のおそれを少なくすることができる。また、スマートフォン１ｂが開いたとき配線部に弛みが生じると、その弛んだ部分が両表示部の間に挟まれて配線が破損するおそれがある。
【００６５】
その場合に比べて、本実施例では、上記のとおり結線部材５０ｂが縮むことで配線部５１の弛みをなくし、挟み込みによる破損を防ぐことができる。また、本実施例では、結線部材５０ｂは、第１表示部１０ｂ及び第２表示部２０ｂが開いたときに互いに対向する側面１６ｂ及び側面２６ｂに設けられた２つの開口１７ｂ及び開口２７ｂを通して配置される。
【００６６】
これらの開口を通すことで、スマートフォン１ｂが開いたときに結線部材５０ｂが外部に露出しなくなり、結線部材が露出する場合に比べて、スマートフォン１ｂの外見の凹凸を少なくすることができる。また、本実施例では、結線部材５０ｂが上記のとおり両表示部の回路を結線するので、ヒンジである連結部材３０ｂの内部には配線が通っていない。
【００６７】
連結部材としてシートを用いる場合に比べて、ヒンジを用いるとシートよりも剛性が高いので開閉の動きが安定する。一方、ヒンジの内部に配線を通す場合、ヒンジの内部にそれだけの空間を設ける必要があり、その空間の分だけヒンジのサイズが大きくなる。本実施例では、連結部材３０ｂとしてヒンジを用いることで開閉の動きを安定させると共に、内部に配線のための空間を設けないことで、ヒンジのサイズを小さくして目立たないようにすることができる。
【００６８】
［４］第４実施例
本発明の第４実施例について、以下、上記の各実施例と異なる点を中心に説明する。第４実施例では、第３実施例と同様にヒンジを用いつつ、結線部材の設け方を変えた例を説明する。
図８は第４実施例に係るスマートフォン１ｃの外観を表す。図８では下側から見たスマートフォン１ｃが表され、図８（ａ）では開かれた状態が、図８（ｂ）では閉じた状態が表されている。
【００６９】
スマートフォン１ｃは、第１表示面１１ｃを有する第１表示部１０ｃと、第２表示面２１ｃを有する第２表示部２０ｃと、連結部材３０ｃと、結線部材５０ｃとを備える。連結部材３０ｃは、第１表示部１０ｂの第１表示面１１ｃ側且つ第２表示部２０ｃ側であり且つ第２表示部２０ｃの第２表示面２１ｃ側且つ第１表示部１０ｂ側となる位置に設けられたシングルヒンジである。
【００７０】
連結部材３０ｃは、第１表示部１０ｃ及び第２表示部２０ｃを、第１表示面１１ｃ及び第２表示面２１ｃを内側にして折り畳み可能に連結する。結線部材５０ｃは、配線部５１ｃと、２つの弾性部５２ｃと、２つの固定部５３ｃとを有する。結線部材５０ｃの構成は図７に表す結線部材５０ｂと概ね同じであり、第１表示部１０ｃが備える第１回路１３ｃ及び第２表示部２０ｃが備える第２回路２３ｃに電気的に接続されている。
【００７１】
ただし、結線部材５０ｃは、表示部の内側から外側に出る際に通る孔の位置が結線部材５０ｂとは異なっている。第１表示部１０ｃは、背面１５ｃ側に第２表示部２０ｃ側が低くなる段差を有しており、その段差の部分に開口１７ｃを有している。第２表示部２０ｃも背面２５ｃ側に同様の開口２７ｃを有している。結線部材５０ｃは、それらの開口１７ｃ及び開口２７ｃを通して配置されている。
【００７２】
以上の構成により、結線部材５０ｃは、結線部材５０ｂと同様に、全体として、第１表示部１０ｃ及び第２表示部２０ｃが閉じると伸びた状態になり、第１表示部１０ｃ及び第２表示部２０ｃが開くと縮んで撓みのない状態になる。その結果、第３実施例と同様に、断線のおそれを少なくすることができるし、挟み込みによる破損を防ぐことができる。また、結線部材５０ｃの中央部は、常に表示部の外側に露出しているので、万が一両表示部の間に挟まったとしても、すぐに気づくことができる。
【００７３】
［５］変形例
上述した実施例は本発明の実施の一例に過ぎず、以下のように変形させてもよい。
【００７４】
［５−１］連結部材
第１及び第２実施例で述べたシート状の連結部材の形状は上述したものに限らない。例えば連結部材３０及び３０ａの各固定部は、いずれも表示部の背面の全体を固定可能な形状であったが、表示部の背面よりも小さくて背面の一部だけが固定可能な形状であってもよい。
【００７５】
また、繋ぎ部についても、上記の各実施例ではＹ軸方向の長さが表示部と同じであったが、それよりも短くてもよい。要するに、２つの表示部を折り畳み可能に連結することができていれば、シート状の連結部材はどのような形状であってもよい。
【００７６】
［５−２］カバー部材
第１及び第２実施例で述べたシート状のカバー部材の形状は上述したものに限らない。例えば各実施例では、正面から見た場合に表示部の端とカバー部材の端が繋ぎ部側を除いて一致していたが、表示部よりも大きくてもよいし、小さくてもよい。要するに、カバー部材は、内部に結線部材を通すことができて、且つ、表示部の背面を保護する効果を有するものであればよい（小さくてもカバーしている部分については保護効果を有する）。
【００７７】
［５−３］発明のカテゴリ
本発明は、スマートフォンに限らず、例えばタブレット端末等にも適用可能である。本発明は、折り畳み可能な２つの表示部を備える表示装置であれば、その用途に関わらず適用することができる。また、本発明は、それらの表示装置が実施する処理を実現するための情報処理方法としても捉えられ、また、表示装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００７８】
［５−４］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００７９】
［５−５］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８０】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８１】
１…スマートフォン、１０…第１表示部、１１…第１表示面、１２…第１筐体、１３…第１回路、１４…第１磁力部材、１５…背面、１６…側面、１７…開口、２０…第２表示部、２１…第２表示面、２２…第２筐体、２３…第２回路、２４…第２磁力部材、２５…背面、２６…側面、２７…開口、３０…連結部材、３１…第１固定部、３２…第２固定部、３３…繋ぎ部、４０…カバー部材、４１…第１固定部、４２…第２固定部、４３…繋ぎ部、５０…結線部材、５１…配線部、５２…弾性部、５３…固定部。
【図１】
2020118750.tif 000003
【図２】
2020118750.tif 000004
【図３】
2020118750.tif 000005
【図４】
2020118750.tif 000006
【図５】
2020118750.tif 000007
【図６】
2020118750.tif 000008
【図７】
2020118750.tif 000009
【図８】
2020118750.tif 000010